(57)【要約】【課題】発電を効率良く行うことのできる勾配型発電装置を提供する。【解決手段】中空部１ｃを有する管状部材１と、この中空部１ｃ内に設けられ、かつ、該管状部材１内を移動可能な永久磁石２と、管状部材１の側面に巻き付けられたコイル３と、を備え、永久磁石２が管状部材１内を移動する際にコイル３と永久磁石２との間で生じる電磁誘導によって発電する。管状部材１の傾き量が所定量を超えるまで、管状部材１内における永久磁石２の移動を抑止するトラップ部を設けても良い。管状部材内の中空部を磁石が移動することにより、コイルが巻き付けられている部分を磁石がスムーズに通過するため、発電を効率良く行うことができる。また、トラップ部を設けることにより、コイルが巻き付けられている部分の通過速度を高めることができ、発電を効率良く行うことができる。【選択図】図４
2013146172.tif 000002
【特許請求の範囲】
【請求項１】
中空部を有する管状部材と、
前記管状部材の中空部内に設けられ、かつ、該管状部材内を移動可能な磁石部と、
前記管状部材の側面に巻き付けられたコイル部と、
を備え、
前記磁石部が前記管状部材内を移動する際に前記コイル部と前記磁石部との間で生じる電磁誘導によって発電することを特徴とする勾配型発電装置。
【請求項２】
前記管状部材の傾き量が所定量を超えるまで、前記管状部材内における前記磁石部の移動を抑止するトラップ部を更に備えることを特徴とする請求項１に記載の勾配型発電装置。
【請求項３】
前記トラップ部は、前記管状部材の外面に設けられ、かつ、前記磁石部による磁力によって、該磁石部が吸着する吸着部材によって構成されることを特徴とする請求項２に記載の勾配型発電装置。
【請求項４】
前記トラップ部は、前記管状部材の内側面に設けられた、凹部および凸部の少なくとも一方であることを特徴とする請求項２に記載の勾配型発電装置。
【請求項５】
前記管状部材は第１および第２の端部を有し、前記第１の端部と前記第２の端部との中間部分において該管状部材が回動可能に軸支されており、
前記第１および第２の端部それぞれに対応して設けられ対応する端部を移動させるための第１および第２の操作部と、
前記第１および第２の端部それぞれに対応して設けられ対応する端部の移動状態を検出するための第１および第２の検出部と、を更に備え、
前記第１および第２の端部それぞれに対応して前記トラップ部を設けたことを特徴とする請求項１から請求項４までのいずれか１項に記載の勾配型発電装置。
【請求項６】
前記管状部材の内面は、前記第１の端部および前記第２の端部の少なくとも一方において屈曲しており、該屈曲部分が前記トラップ部として作用することを特徴とする請求項５に記載の勾配型発電装置。
【請求項７】
前記第１の操作部および前記第２の操作部について、一方の操作部の移動に伴って他方の操作部を逆方向に移動させるためのリンク部を更に含むことを特徴とする請求項５または６に記載の勾配型発電装置。
【請求項８】
前記管状部材は、連続する中空部を有する環形状の管状部材であることを特徴とする請求項１から請求項４までのいずれか１項に記載の勾配型発電装置。
【請求項９】
前記コイル部は前記環形状の管状部材の側面の複数箇所に設けられ、
前記トラップ部は前記環形状の管状部材の複数箇所に設けられ、
前記コイル部および前記トラップ部は、均等の間隔でかつ互いに異なる位置に設けられていることを特徴とする請求項８に記載の勾配型発電装置。
【請求項１０】
前記磁石部は、互いに異なる一対の極をＮ組（Ｎは自然数）有する球形状又は円柱形状の磁石であることを特徴する請求項１から請求項９までのいずれか１項に記載の勾配型発電装置。
【請求項１１】
釣り糸に装着される擬餌針であって、請求項１から請求項４までのいずれか１項に記載の勾配型発電装置と、前記コイル部と前記磁石部との間で生じる電磁誘導によって発電された電力によって発光する発光部とを備えたことを特徴とする擬餌針。
【請求項１２】
前記磁石部は、互いに異なる一対の極をＮ組（Ｎは自然数）有する球形状又は円柱形状の磁石であることを特徴する請求項１１に記載の擬餌針。
【請求項１３】
請求項１から請求項４までのいずれか１項に記載の勾配型発電装置と、前記コイル部と前記磁石部との間で生じる電磁誘導によって発電された電力によって発光する発光部とを備えたことを特徴とする浮子。
【請求項１４】
前記磁石部は、互いに異なる一対の極をＮ組（Ｎは自然数）有する球形状又は円柱形状の磁石であることを特徴する請求項１３に記載の浮子。
【発明の詳細な説明】
【技術分野】
【０００１】
本発明は、勾配型発電装置、擬餌針、浮子に関する。
【背景技術】
【０００２】
近年、従来のエネルギーに代わる新しいエネルギーとして、太陽光や風力のエネルギーを用いた発電が数多く注目されている。また、最近では、大型のソーラーバネルや風車等を用いて発電するだけにとどまらず、公共の場所で人が歩行する際の振動や、街中を飛び交う電磁波などの身の回りのエネルギーから発電するエネルギーハーベスティング技術が注目を浴びている。
【０００３】
ところで、特許文献１には、カード型携帯発電機が記載されている。特許文献１に記載のカード型携帯発電機は、シートに設けられた貫通孔の凹曲面部分に、円板形状の永久磁石を設けた構成になっている。
【先行技術文献】
【特許文献】
【０００４】
【特許文献１】特開２００９−３０３４７５号公報
【発明の概要】
【発明が解決しようとする課題】
【０００５】
特許文献１に記載の発電機は、永久磁石が貫通孔の凹曲面部分に設けられている構成である。このため、シートが直立している場合は磁石がスムーズに転動するが、シート表面方向に傾いて立っている場合は磁石がスムーズに転動せず、コイル部分を通過する速度が小さくなり、効率良い発電が行われない可能性がある。
本発明は上記した点に鑑みて行われたものであり、発電を効率良く行うことのできる勾配型発電装置、これを用いた擬餌針、浮子を提供することを目的とする。
【課題を解決するための手段】
【０００６】
本発明の一態様による勾配型発電装置は、中空部を有する管状部材と、前記管状部材の中空部内に設けられ、かつ、該管状部材内を移動可能な磁石部と、前記管状部材の側面に巻き付けられたコイル部と、を備え、前記磁石部が前記管状部材内を移動する際に前記コイル部と前記磁石部との間で生じる電磁誘導によって発電することを特徴とする。この構成によれば、管状部材内の中空部を磁石が移動することにより、コイルが巻き付けられている部分を磁石がスムーズに通過するため、発電を効率良く行うことができる。
【０００７】
また、前記管状部材の傾き量が所定量を超えるまで、前記管状部材内における前記磁石部の移動を抑止するトラップ部を更に備えることが望ましい。トラップ部を設けることにより、コイルが巻き付けられている部分の通過速度を高めることができ、発電を効率良く行うことができる。
前記トラップ部は、前記管状部材の外面に設けられ、かつ、前記磁石部による磁力によって、該磁石部が吸着する吸着部材によって構成されていても良い。鉄片など、吸着部材の形状や大きさを適切に選定することによって、磁石部が移動し始める管状部材の傾き量を適切に設定できる。
【０００８】
前記トラップ部は、前記管状部材の内側面に設けられた、凹部および凸部の少なくとも一方であっても良い。管状部材を樹脂成形によって製造したり、樹脂製の管状部材の外周に熱を加えて変形させたりすることによって、凹部や凸部を実現でき、凹部や凸部の形状
や大きさを適切に選定することによって、磁石部が移動し始める管状部材の傾き量を適切に設定できる。
【０００９】
また、前記管状部材は第１および第２の端部を有し、前記第１の端部と前記第２の端部との中間部分において該管状部材が回動可能に軸支されており、前記第１および第２の端部それぞれに対応して設けられ対応する端部を移動させるための第１および第２の操作部と、前記第１および第２の端部それぞれに対応して設けられ対応する端部の移動状態を検出するための第１および第２の検出部と、を更に備え、前記第１および第２の端部それぞれに対応して前記トラップ部を設けた構成にしても良い。この構成によれば、勾配型発電装置を利用し、スイッチのＯＮ操作またはＯＦＦ操作に伴い発電した電力を利用して無線送信でき、他に電源を必要とせず、かつ、有線通信のための配線や電源供給のための配線が不要なスイッチを実現することができる。
【００１０】
前記管状部材の内面は、前記第１の端部および前記第２の端部の少なくとも一方において屈曲しており、該屈曲部分が前記トラップ部として作用するようにしても良い。このトラップ部を採用した場合においても、磁石部が移動し始める管状部材の傾き量を適切に設定できる。
前記第１の操作部および前記第２の操作部について、一方の操作部の移動に伴って他方の操作部を逆方向に移動させるためのリンク部を更に含んでいても良い。このリンク部の作用により、上記第１の操作部と第２の操作部とを逆方向に移動させることができ、スイッチのＯＮ状態とＯＦＦ状態とが識別できるようにすることができる。
【００１１】
前記管状部材は、連続する中空部を有する環形状の管状部材であっても良い。この環形状の管状部材を自動車や船舶など、動く物に載置すれば、その物が傾いた場合に発電するので、傾いたことを検出できる。
前記コイル部が前記環形状の管状部材の側面の複数箇所に設けられ、前記トラップ部が前記環形状の管状部材の複数箇所に設けられ、前記コイル部および前記トラップ部が、均等の間隔でかつ互いに異なる位置に設けられていても良い。このようにコイル部およびトラップ部を配置することにより、効率良く発電することができる。
【００１２】
本発明の一態様による擬餌針は、釣り糸に装着される擬餌針であって、上記勾配型発電装置と、前記コイル部と前記磁石部との間で生じる電磁誘導によって発電された電力によって発光する発光部とを備えたことを特徴とする。発電装置を擬餌針に備えれば、発光させるための電源としての電池が不要である。
本発明の一態様による浮子は、上記勾配型発電装置と、前記コイル部と前記磁石部との間で生じる電磁誘導によって発電された電力によって発光する発光部とを備えたことを特徴とする。発電装置を浮子に備えれば、発光させるための電源としての電池が不要である。
【００１３】
なお、前記磁石部は、互いに異なる一対の極をＮ組（Ｎは自然数）有する球形状又は円柱形状の磁石であることが望ましい。これらの形状の磁石を用いることにより、管状部材内を転がって移動するので、効率良く発電することができる。
【発明の効果】
【００１４】
本発明によれば、永久磁石がコイルを通過する速度を高めることができ、効率良い発電を実現できる。また、上記発電装置を擬餌針や浮子に備えれば、発光させるための電源としての電池は不要であり、水中で用いる擬餌針や釣りに用いる浮子において、内部の電気回路部分の防水性を保つことができる。
【図面の簡単な説明】
【００１５】
【図１】本発明の第１の実施形態による勾配型発電装置の一構成例を示す図である。
【図２】本発明の第１の実施形態による勾配型発電装置の他の構成例を示す図である。
【図３】本発明の第１の実施形態による勾配型発電装置の他の構成例を示す図である。
【図４】本発明の第１の実施形態による勾配型発電装置の他の構成例を示す図である。
【図５】永久磁石の構造を示す断面図である。
【図６】本発明の第１の実施形態による勾配型発電装置を利用して構成したスイッチの外観を示す図である。
【図７】図６のスイッチの内部構成例を示す図である。
【図８】図６のスイッチの内部構成例を示す図である。
【図９】図６のスイッチの内部構成例を示す図である。
【図１０】図６のスイッチの内部構成例を示す図である。
【図１１】図６のスイッチの内部構成例を示す図である。
【図１２】図６のスイッチの内部構成例を示す図である。
【図１３】図６のスイッチの内部構成例を示す図である。
【図１４】図６のスイッチの内部構成例を示す図である。
【図１５】図６のスイッチの内部構成例を示す図である。
【図１６】図６のスイッチの内部構成例を示す図である。
【図１７】本発明の第２の実施形態による勾配型発電装置の構成例を示す図である。
【図１８】本発明の第２の実施形態による勾配型発電装置の他の構成例を示す図である。
【図１９】本発明の第２の実施形態による勾配型発電装置の他の構成例を示す図である。
【図２０】本発明の第２の実施形態の動作を説明するための図である。
【図２１】本発明の第２の実施形態による勾配型発電装置の利用例を示す図である。
【図２２】勾配型発電装置による発電電力を利用するための構成例を示す図である。
【図２３】勾配型発電装置による発電電力を利用するための構成例を示す図である。
【図２４】勾配型発電装置による発光機能を有する疑似針の例を示す図である。
【図２５】疑似針に内蔵する発光機能の例を示す図である。
【図２６】勾配型発電装置による発光機能を有する浮子の例を示す図である。
【発明を実施するための形態】
【００１６】
以下、本発明の実施形態について図面を参照して説明する。なお、以下の説明において参照する各図では、他の図と同等部分は同一符号によって示されており、同等部分に関する説明を適宜省略する。
（第１の実施形態による発電装置の構成）
図１は、本発明の第１の実施形態を示す構造図である。図１において、本発明の第１の実施形態による発電装置は、直線的な管状部材１によって構成されている。
管状部材１の端部１ａと端部１ｂとの間には中空部１ｃがある。この中空部１ｃは、断面が円形であり、端部１ａから端部１ｂまで連続している。
【００１７】
管状部材１の中空部１ｃ内には、永久磁石２が設けられている。本例では、球形状の永久磁石２を用いており、その直径は管状部材１の中空部１ｃの内径よりも小さくなっている。これにより、永久磁石２は、管状部材１の中空部１ｃ内を転動して移動可能になっている。すなわち、管状部材１の端部１ａ側よりも端部１ｂ側が低い位置にあれば、重力により、永久磁石２は矢印Ｙ１１の方向に（端部１ａ側から端部１ｂ側の方向に）移動する。逆に、管状部材１の端部１ｂ側よりも端部１ａ側が低い位置にあれば、重力により、永久磁石２は矢印Ｙ１１の逆方向に（端部１ｂ側から端部１ａ側の方向に）移動する。
【００１８】
管状部材１の端部１ａと端部１ｂとの間の中間部の外側面には、コイル３が巻き付けられている。したがって、中空部１ｃのうち、コイル３が巻き付けられている部分を永久磁石２が通過すると、コイル３に与えられている磁界が変化し、周知の電磁誘導によってコイル３に電流が流れる。このコイル３に流れる電流を整流回路で整流すれば、直流電流が得られる。つまり、管状部材１およびその外側面に巻き付けられたコイル３は、勾配型発電装置として機能する。
【００１９】
（凹部によるトラップ部）
ここで、図２のように、管状部材１の中空部１ｃにおいて、一方の端部１ａの近傍に凹部４１ａを設ける。また、中空部１ｃにおいて、他方の端部１ｂの近傍に凹部４１ｂを設ける。本例では、中空部１ｃの内側面に沿って凹部が一周設けられている。中空部１ｃの内側面に凹部を設けるため、管状部材１の側面はその部分の径が他の部分よりも大になっている。
【００２０】
これら凹部４１ａおよび凹部４１ｂを設けた構成において、管状部材１の端部１ａ側よりも端部１ｂ側が低い位置にあれば、上記と同様に、重力により、永久磁石２は矢印Ｙ１１の方向に移動しようとする。しかしながら、凹部４１ａが端部１ａの近傍に設けられているため、管状部材１の傾き量が小である場合には永久磁石２は凹部４１ａの位置に留まり、管状部材１の傾き量が所定量を超えた場合に始めて矢印Ｙ１１の方向に移動し、端部１ｂ側に到達する。
【００２１】
また、管状部材１の端部１ｂ側よりも端部１ａ側が低い位置にあれば、上記と同様に、重力により、永久磁石２は矢印Ｙ１１の逆方向に移動しようとする。しかしながら、凹部４１ｂが端部１ｂの近傍に設けられているため、管状部材１の傾き量が小である場合には永久磁石２は凹部４１ｂの位置に留まり、管状部材１の傾き量が所定量を超えた場合に始めて矢印Ｙ１１の逆方向に移動し、端部１ａ側に到達する。
【００２２】
つまり、これら凹部４１ａおよび凹部４１ｂは、管状部材１の傾き量が所定量を超えるまで、管状部材１内における永久磁石２の移動を抑止するトラップ部として機能する。このトラップ部を設けた場合、管状部材１の傾き量が大になった段階で永久磁石２が移動することになる。したがって、トラップ部を設けた場合、コイル３が巻き付けられている部分を永久磁石２が通過する際の速度は、トラップ部が設けられていない場合よりも大きくなる。よって、トラップ部を設けた場合はコイル３に与えられる磁界が急激に変化することになり、トラップ部が設けられていない場合よりも大きな発電量が得られる。
【００２３】
凹部４１ａおよび凹部４１ｂは、例えば、管状部材１を樹脂成形によって製造することによって容易に実現でき、凹部の形状や大きさを適切に選定することによって、永久磁石２が移動し始める管状部材１の傾き量を適切に設定できる。永久磁石２が移動し始める管状部材１の傾き量を適切に設定すれば、コイル３が巻き付けられている部分を永久磁石２が通過する際の速度を最大にし、発電量を最大にすることができる。
【００２４】
（凸部によるトラップ部）
勾配型発電装置にトラップ部の機能を設ける場合、中空部１ｃに凹部４１ａおよび凹部４１ｂを設ける代わりに、凸部４２ａおよび凸部４２ｂを設けても良い。つまり、図３のように、管状部材１の中空部１ｃにおいて、一方の端部１ａの近傍に凸部４２ａを設ける。また、中空部１ｃにおいて、他方の端部１ｂの近傍に凸部４２ｂを設ける。本例では、中空部１ｃの内側面に沿って凸部が一周設けられている。中空部１ｃの内面に凸部を設けるため、管状部材１の側面はその部分の径が他の部分よりも小になっている。
【００２５】
これら凸部４２ａおよび凸部４２ｂを設けた構成において、管状部材１の端部１ａ側よりも端部１ｂ側が低い位置にあれば、上記と同様に、重力により、永久磁石２は矢印Ｙ１１の方向に移動しようとする。しかしながら、凸部４２ａが端部１ａの近傍に設けられているため、管状部材１の傾き量が小である場合には永久磁石２は凸部４２ａを乗り越えられずにその位置に留まり、管状部材１の傾き量が所定量を超えた場合に始めて矢印Ｙ１１の方向に移動し、端部１ｂ側に到達する。
【００２６】
また、管状部材１の端部１ｂ側よりも端部１ａ側が低い位置にあれば、上記と同様に、重力により、永久磁石２は矢印Ｙ１１の逆方向に移動しようとする。しかしながら、凸部４２ｂが端部１ｂの近傍に設けられているため、管状部材１の傾き量が小である場合には永久磁石２は凸部４２ｂを乗り越えられずにその位置に留まり、管状部材１の傾き量が所定量を超えた場合に始めて矢印Ｙ１１の方向に移動し、端部１ａ側に到達する。
【００２７】
つまり、これら凸部４２ａおよび凸部４２ｂは、管状部材１の傾き量が所定量を超える
まで、管状部材１内における永久磁石２の移動を抑止するトラップ部として機能する。このトラップ部を設けた場合、管状部材１の傾き量が大になった段階で永久磁石２が移動することになる。したがって、このトラップ部を設けた場合、コイル３が巻き付けられている部分を永久磁石２が通過する際の速度は、トラップ部が設けられていない場合よりも大きくなる。よって、トラップ部を設けた場合はコイル３に与えられる磁界が急激に変化することになり、トラップ部が設けられていない場合よりも大きな発電量が得られる。
【００２８】
凸部４２ａおよび凸部４２ｂは、例えば、樹脂製の管状部材１の外周に熱を加えて変形させることによって容易に実現でき、凸部の形状や大きさを適切に選定することによって、永久磁石２が移動し始める管状部材１の傾き量を適切に設定できる。永久磁石２が移動し始める管状部材１の傾き量を適切に設定すれば、コイル３が巻き付けられている部分を永久磁石２が通過する際の速度を最大にし、発電量を最大にすることができる。
【００２９】
（吸着部材によるトラップ部）
勾配型発電装置の管状部材１の中空部１ｃの内面に上記の凹部または凸部を設けてトラップ部とする代わりに、永久磁石２が吸着する吸着部材、例えば鉄片などを管状部材の外面、例えば側面に設けてトラップ部としても良い。例えば、図４のように、管状部材１の側面において、一方の端部１ａの近傍に鉄片４３ａを設ける。また、管状部材１の側面において、他方の端部１ｂの近傍に鉄片４３ｂを設ける。
【００３０】
これら鉄片４３ａおよび鉄片４３ｂを設けた構成において、管状部材１の端部１ａ側よりも端部１ｂ側が低い位置にあれば、上記と同様に、重力により、永久磁石２は矢印Ｙ１１の方向に移動しようとする。しかしながら、鉄片４３ａが端部１ａの近傍に設けられているため、永久磁石２は自らの磁力によって鉄片４３ａに吸着しようとする。これにより、管状部材１の傾き量が小である場合には永久磁石２は鉄片４３ａの位置に留まり、管状部材１の傾き量が所定量を超えた場合に始めて矢印Ｙ１１の方向に移動し、端部１ｂ側に到達する。
【００３１】
また、管状部材１の端部１ｂ側よりも端部１ａ側が低い位置にあれば、上記と同様に、重力により、永久磁石２は矢印Ｙ１１の逆方向に移動しようとする。しかしながら、鉄片４３ｂが端部１ｂの近傍に設けられているため、永久磁石２は自らの磁力によって鉄片４３ｂに吸着しようとする。これにより、管状部材１の傾き量が小である場合には永久磁石２は鉄片４３ｂの位置に留まり、管状部材１の傾き量が所定量を超えた場合に始めて矢印Ｙ１１の逆方向に移動し、端部１ａ側に到達する。
【００３２】
つまり、これら鉄片４３ａおよび鉄片４３ｂは、管状部材１の傾き量が所定量を超えるまで、管状部材１内における永久磁石２の移動を抑止するトラップ部として機能する。このトラップ部を設けた場合、管状部材１の傾き量が大になった段階で永久磁石２が移動することになる。したがって、トラップ部を設けた場合、コイル３が巻き付けられている部分を永久磁石２が通過する際の速度は、トラップ部が設けられていない場合よりも大きくなる。よって、トラップ部を設けた場合はコイル３に与えられる磁界が急激に変化することになり、トラップ部が設けられていない場合よりも大きな発電量が得られる。
【００３３】
なお、鉄片４３ａおよび鉄片４３ｂを設ける位置は、管状部材１の端部１ａや端部１ｂの位置であっても良いし、鉄片４３ａおよび鉄片４３ｂの形状や大きさを適切に選定することによって、永久磁石２が移動し始める管状部材１の傾き量を適切に設定できる。永久磁石２が移動し始める管状部材１の傾き量を適切に設定すれば、コイル３が巻き付けられている部分を永久磁石２が通過する際の速度を最大にし、発電量を最大にすることができる。
また、鉄以外の金属を用いても良い。ただし、磁石が吸着する金属を用いる必要がある。管状部材の一部分を磁石が吸着する金属で形成することによって、トラップ部を実現しても良い。
【００３４】
（その他のトラップ部）
上記の端部１ａの近傍、端部１ｂの近傍において、管状部材１を特定の方向に屈曲させることによって、管状部材１の傾き量が所定量を超えるまで、管状部材１内における永久磁石２の移動を抑止するようにしても良い。樹脂製の管状部材１に熱を加えて屈曲させることによって、トラップ部を実現できる。このトラップ部については、図７、図８を参照して後述する。
【００３５】
また、管状部材１の中空部１ｃの内面の一周に凸部を設けるのではなく、必要部分にのみ凸部を設けることによって、管状部材１の傾き量が所定量を超えるまで、管状部材１内における永久磁石２の移動を抑止するようにしても良い。樹脂製の管状部材１に熱を加えて中空部１ｃの内面に凸部を設けることによって、トラップ部を実現できる。このトラップ部については、図９、図１０を参照して後述する。
つまり、トラップ部は、管状部材１の傾き量が所定量を超えるまで、管状部材１内における永久磁石２の移動を抑止できれば、その構成はどのようなものであっても良い。
【００３６】
（磁石部）
管状部材１の中空部１ｃ内を移動可能な永久磁石２は、本例では、球形状の永久磁石２を用いており、その直径は管状部材１の中空部１ｃの内径よりも小さくなっている。球形状の永久磁石を採用することにより、管状部材内を転がって移動するので、効率良く発電することができる。
【００３７】
この永久磁石２は、互いに異なる一対の極（Ｎ極およびＳ極）を有している。例えば、球形状の半分がＮ極の領域で、他の半分がＳ極の領域になっている磁石を採用すれば良い。永久磁石の断面図である図５を参照すると、永久磁石２は、互いに異なる一対の極（Ｎ極およびＳ極の２極）を有している。また、図５の永久磁石２’は、球形状を８つに分けた４つの部分がＮ極の領域で、他の４つの部分がＳ極の領域になっている。すなわち、本発電装置において用いる永久磁石は、互いに異なる一対の極をＮ組（Ｎは自然数）有するものである。このようにＮ極とＳ極との組数を多くすることにより、永久磁石２’による磁界をなるべく多く変化させて、永久磁石２’とコイル３との間で生じる電磁誘導によって効率良く発電することができる。さらには、永久磁石２を８極磁石等としても良い。
【００３８】
ここで、永久磁石２は、例えば、ネオジムや鉄等を成分とするネオジム磁石（永久磁石）である。このため、永久磁石２が、一方の端部から他方の端部に向かって一気に移動していくのを繰り返していくうち、その表面が欠けてしまうのを防止する必要がある。そこで、永久磁石２は、樹脂やゴムなどのコーティングやニッケルメッキ等による表面加工が施されている。また、このような表面加工が施されることによって、永久磁石２の表面に、見栄えの良い銀色の光沢感を出すこともできる。
なお、管状部材１の中空部１ｃ内を移動可能であれば、球形状である必要はなく、形状は問わない。例えば、中空部１ｃ内を摺動して移動可能な円柱形状の磁石を採用しても良い。
【００３９】
（勾配型発電装置を用いたスイッチ）
上記の勾配型発電装置においては、一端を押し下げた状態と、他端を押し下げた状態との２つの状態が存在する。この２つの状態を、スイッチのＯＮ状態、ＯＦＦ状態にそれぞれ割り当てることにより、スイッチを実現することができる。例えば、図６を参照すると、スイッチ１００は、「ＯＦＦ」に対応する第１の操作部５ａ、「ＯＮ」に対応する第２の操作部５ｂと、これらに対応して設けられた孔部６ａ、孔部６ｂとが筐体上面に設けられた構成である。第１の操作部５ａおよび第２の操作部５ｂは、本例では、断面が略矩形の平棒形状である。
【００４０】
第１の操作部５ａは孔部６ａに挿通され、第２の操作部５ｂは孔部６ｂに挿通されている。第１の操作部５ａおよび第２の操作部５ｂは一方が孔部から突出した状態であるとき、他方は孔部から突出していない状態（孔部内に収容された状態）となる。
つまり、スイッチ１００の図６（Ａ）の状態において、第２の操作部５ｂを矢印Ｙ５１の方向に押し下げると図６（Ｂ）の状態に遷移する。すなわち、第２の操作部５ｂは移動して孔部６ｂ内に収容され、第１の操作部５ａは矢印Ｙ５２の方向に移動して孔部６ａから突出した状態となる。このスイッチ１００の図６（Ｂ）の状態において、第１の操作部５ａを矢印Ｙ５２の逆方向に押し下げると図６（Ａ）の状態に遷移する。すなわち、第１の操作部５ａは移動して孔部６ａ内に収容され、第１の操作部５ｂは矢印Ｙ５１の逆方向に移動して孔部６ｂから突出した状態となる。
【００４１】
スイッチ１００の内部構成は、例えば図７のような構成である。図７を参照すると、管状部材１の端部１ａと端部１ｂとの間の中間部分に回動軸８ａが設けられ、管状部材１が回動軸８ａを中心に回動可能に軸支されている。また、端部１ｄ、端部１ｅそれぞれに対応して、対応する端部を移動させるための第１の操作部５ａ、第２の操作部５ｂが設けられている。第１の操作部５ａは、その一端が回動軸７ａによって管状部材１に接続されており、他端は上記したように孔部から突出したり孔部に収容されたりする。第２の操作部５ｂは、その一端が回動軸７ｂによって管状部材１に接続されており、他端は上記したように孔部から突出したり孔部に収容されたりする。孔部からの突出状態により、スイッチの現在の状態が識別できるようになっている。すなわち、図６（Ａ）のように第２の操作部５ｂが孔部から突出していれば、スイッチ１００が「ＯＮ状態」であると識別でき、図６（Ｂ）のように第１の操作部５ａが孔部から突出していれば、スイッチ１００が「ＯＦＦ状態」であると識別できる。
【００４２】
さらに、第１の操作部５ａと第２の操作部５ｂとを接続するリンク部１０が設けられている。このリンク部１０は、一端に設けられた長孔１１ａが回動軸９ａによって第１の操作部５ａに接続されている。また、リンク部１０は、他端に設けられた長孔１１ｂが回動軸９ｂによって第２の操作部５ｂに接続されている。さらに、リンク部１０の中間部分に回動軸８ｂが設けられており、リンク部１０は回動軸８ｂを中心に、一端が矢印Ｙ５２の方向に移動するに伴い、他端が矢印Ｙ５１の方向に移動する。このリンク部１０の作用によって、上記のように、第１の操作部５ａおよび第２の操作部５ｂの一方が孔部から突出した状態であるとき、他方は孔部から突出していない状態（孔部内に収容された状態）となる。
【００４３】
ところで、図７において、管状部材１は、両端部１ｄ、１ｅそれぞれの近傍において、下方向に屈曲した形状になっている。このため、第２の操作部５ｂを矢印Ｙ５１の方向に押し下げると、管状部材１が徐々に傾き、その傾き量が所定量を超えるまで、管状部材１内における永久磁石２の移動が抑止される。第１の操作部５ａを矢印Ｙ５２の逆方向に押し下げる場合も同様である。つまり、本例では、管状部材１の端部１ｄ、１ｅそれぞれに対応して屈曲部分が設けられており、この屈曲部分がトラップ部として作用する。
【００４４】
第２の操作部５ｂを矢印Ｙ５１の方向に押し下げて図７の状態になったとき、永久磁石２が矢印Ｙ６の方向に移動する。永久磁石２が移動し、コイル３が巻き付けられている部分を永久磁石２が通過すると、電磁誘導によってコイル３に電流が流れ、発電する。
ここで、スイッチ１００の筐体内の底部には、管状部材１の端部１ｄ、端部１ｅそれぞれに対応して、第１の検出部１２ａ、第２の検出部１２ｂが設けられている。これら第１の検出部１２ａ、第２の検出部１２ｂによって、管状部材１の端部１ｄ、端部１ｅへの永
久磁石２の移動状態を検出することができる。したがって、第２の操作部５ｂを矢印Ｙ５１の方向に押し下げることにより永久磁石２が矢印Ｙ６の方向に移動して端部１ｅに到達すると図８の状態になり、端部１ｅに対応して設けられている第２の検出部１２ｂが管状部材１の傾き方向、すなわち永久磁石２の移動状態を検出する。また、第１の操作部５ａを矢印Ｙ５２の逆方向に押し下げることにより永久磁石２が矢印Ｙ６の逆方向に移動して端部１ｄに到達すると、端部１ｄに対応して設けられている第１の検出部１２ａが管状部材１の傾き方向、すなわち永久磁石２の移動状態を検出する。
【００４５】
以上のように、第１の操作部５ａが矢印Ｙ５２の逆方向に押し下げられた状態をスイッチのＯＦＦ状態に割り当て、これを第１の検出部１２ａによって検出することができる。また、第２の操作部５ｂが矢印Ｙ５１の方向に押し下げられた状態をスイッチのＯＮ状態に割り当て、これを第２の検出部１２ｂによって検出することができる。そして、第１の操作部５ａ、第２の操作部５ｂが押し下げられることにより、上記のように電磁誘導によって発電するため、この発電した電力を用いてスイッチのＯＮ状態、ＯＦＦ状態を他の装置へ無線で送信することもできる。ＯＮ状態、ＯＦＦ状態と共に、そのスイッチの識別情報を送信しても良い。
【００４６】
本例においては、スイッチのＯＮ操作またはＯＦＦ操作に伴い発電した電力を利用して無線送信するため、他に電源を必要としない。このため、有線通信のための配線や電源供給のための配線は不要である。したがって、コンクリートの壁など、配線孔を設けることが困難な場所にスイッチを設ける必要がある場合に、上記スイッチを好適に用いることができる。
【００４７】
（検出部）
第１の検出部１２ａ、第２の検出部１２ｂには、例えば、周知のホール素子を用いることができる。ホール素子を用いることにより、管状部材１の端部１ａ側、端部１ｂ側に永久磁石２が移動したことを容易に検出することができる。第１の検出部１２ａ、第２の検出部１２ｂに、管状部材１の端部１ａ、端部１ｂが接触する位置関係にある場合は、例えば、周知の圧電素子を用いることもできる。
【００４８】
（スイッチの変形例１）
図９は、図７のスイッチの変形例を示す図である。本例においては、管状部材１の中空部１ｃの内面の一周に凸部を設けるのではなく、必要部分にのみ凸部４２ｄ、４２ｅを設けている。つまり、管状部材１の端部１ｄ、１ｅそれぞれの近傍に、トラップ部として作用する凸部４２ｄ、４２ｅが設けられている。
【００４９】
本例のスイッチの動作は図７のスイッチの動作と同様である。すなわち、第２の操作部５ｂを矢印Ｙ５１の方向に押し下げることにより永久磁石２が矢印Ｙ６の方向に移動して端部１ｅに到達すると図１０の状態になり、端部１ｅに対応して設けられている第２の検出部１２ｂが管状部材１の傾き方向、すなわち永久磁石２の移動状態を検出する。また、第１の操作部５ａを矢印Ｙ５２の逆方向に押し下げることにより永久磁石２が矢印Ｙ６の逆方向に移動して端部１ｄに到達すると、端部１ｄに対応して設けられている第１の検出部１２ａが管状部材１の傾き方向、すなわち永久磁石２の移動状態を検出する。
【００５０】
（スイッチの変形例２）
図１１は、鉄片をトラップ部として用いたスイッチの構成例を示す図である。本例においては、管状部材１の端部１ｄ側に鉄片４３ａ、端部１ｅ側に鉄片４３ｂを設けている。これら鉄片４３ａ、４３ｂを設けることにより、上記したように永久磁石２がその磁力によって鉄片４３ａ、４３ｂに吸着し、管状部材の傾き量が所定量を超えるまで、管状部材１内における永久磁石２の移動が抑止される。つまり、管状部材１の端部１ｄ、１ｅそれぞれの近傍に、トラップ部として作用する鉄片４３ａ、４３ｂが設けられている。
【００５１】
本例のスイッチの動作は図７、図９のスイッチの動作と同様である。すなわち、第２の操作部５ｂを矢印Ｙ５１の方向に押し下げることにより永久磁石２が移動して端部１ｅに到達すると図１２の状態になり、端部１ｅに対応して設けられている第２の検出部１２ｂが管状部材１の傾き方向、すなわち永久磁石２の移動状態を検出する。また、第１の操作部５ａを矢印Ｙ５２の逆方向に押し下げることにより永久磁石２が移動して端部１ｄに到達すると、端部１ｄに対応して設けられている第１の検出部１２ａが管状部材１の傾き方向、すなわち永久磁石２の移動状態を検出する。
【００５２】
（スイッチの変形例３）
図１３は、鉄片をトラップ部として用いたスイッチの構成例を示す図である。本例においては、管状部材１の端部１ｄ側に鉄片４３ａ、端部１ｅ側に鉄片４３ｂを設けている。これら鉄片４３ａ、４３ｂを設けることにより、上記したように永久磁石２がその磁力によって鉄片４３ａ、４３ｂに吸着し、管状部材の傾き量が所定量を超えるまで、管状部材１内における永久磁石２の移動が抑止される。つまり、管状部材１の端部１ｄ、１ｅそれぞれの近傍に、トラップ部として作用する鉄片４３ａ、４３ｂが設けられている。
【００５３】
さらに、本例では、リンク部１０が操作部１３に内蔵された構成になっている。リンク部１０と操作部１３とが一体になっており、これらが回動軸８ｃによって軸支されている。このため、操作部１３の一端を矢印Ｙ１２ｂの方向に操作すると、回動軸８ｃを中心に回動し、操作部１３の他端は矢印Ｙ１２ａの方向に持ち上がる。この操作部１３の、回動軸８ｃを中心とする回動に応じて、管状部材１の傾きが変化するため、永久磁石２が移動し、図１４の状態になり、端部１ｅに対応して設けられている第２の検出部１２ｂが管状部材１の傾き方向、すなわち永久磁石２の移動状態を検出する。また、第１の操作部５ａを矢印Ｙ５２の逆方向に押し下げることにより永久磁石２が移動して端部１ｄに到達すると、端部１ｄに対応して設けられている第１の検出部１２ａが管状部材１の傾き方向、すなわち永久磁石２の移動状態を検出する。
【００５４】
（スイッチの変形例４）
第１の検出部１２ａ、第２の検出部１２ｂは、スイッチ１００の筐体内の底部ではなく、管状部材１の端部１ｄ、１ｅそれぞれの近傍に設けても良い。例えば、図１５のように、第１の検出部１２ａを屈曲した端部１ｄに設け、第２の検出部１２ｂを屈曲した端部１ｅに設けても良い。この図１５の構成の場合、第１の検出部１２ａおよび第２の検出部１２ｂにホール素子を用い、かつ、スイッチ１００の筐体内の底部に、第１の検出部１２ａ、第２の検出部１２ｂそれぞれに対応して、永久磁石１４ａ、永久磁石１４ｂを設けておく。この構成によれば、第２の操作部５ｂを矢印Ｙ５１の方向に押し下げることにより永久磁石２が移動して端部１ｅに到達すると端部１ｅに対応して設けられている第２の検出部１２ｂが管状部材１の傾き方向、すなわち永久磁石２の移動状態を検出する。また、第１の操作部５ａを矢印Ｙ５２の逆方向に押し下げることにより永久磁石２が移動して端部１ｄに到達すると、端部１ｄに対応して設けられている第１の検出部１２ａが管状部材１の傾き方向、すなわち永久磁石２の移動状態を検出する。
【００５５】
また、図１６のように、管状部材１の端部１ｄ、１ｅそれぞれの近傍に、トラップ部として作用する凸部４２ｄ、４２ｅを設けた構成の場合にも、第１の検出部１２ａおよび第２の検出部１２ｂにホール素子を用い、かつ、スイッチ１００の筐体内の底部に、第１の検出部１２ａ、第２の検出部１２ｂそれぞれに対応して、永久磁石１４ａ、永久磁石１４ｂを設けておけば良い。
【００５６】
（第２の実施形態による発電装置の構成）
図１７は、本発明の第２の実施形態を示す構造図である。図１７において、本発明の第２の実施形態による発電装置１５は、管状部材が環形状になっている。すなわち、本実施形態においては、管状部材１’は、連続する中空部を有する環形状になっている。管状部材１’の外側面の一部分にはコイル３が巻き付けられている。この発電装置１５において、中空部内には、永久磁石２が設けられている。本例では、球形状の永久磁石２を用いており、その直径は管状部材１’の中空部の内径よりも小さくなっている。これにより、永久磁石２は、管状部材１’の中空部内を転動して移動可能になっている。すなわち、管状部材１’が水平に置かれた状態であれば永久磁石２は移動しないが、水平ではない状態であれば、低い部分に向かって永久磁石２が移動する。
【００５７】
そして、例えば、永久磁石２が矢印Ｙ１５の方向に移動し、コイル３が巻き付けられている部分を永久磁石２が通過すると、コイル３に与えられている磁界が変化し、周知の電磁誘導によってコイル３に電流が流れる。このコイル３に流れる電流を整流回路で整流すれば、直流電流が得られる。つまり、管状部材１’およびその外側面に巻き付けられたコイル３は、勾配型発電装置として機能する。
【００５８】
ここで、管状部材１’にトラップ部を設けておくことにより、管状部材１’の傾き量が所定量を超えた場合に始めて永久磁石２が移動し、コイルが巻き付けられている部分を永久磁石２が通過する際の速度を高めることができる。例えば、図１８のように、環形状の管状部材１’の側面の複数箇所にコイル３ａ、３ｂを設け、側面の複数箇所にトラップ部として作用する鉄片４３ａ、４３ｂを設ける。このとき、コイル３ａ、３ｂおよび鉄片４３ａ、４３ｂは、均等の間隔でかつ互いに異なる位置に設ける。この構成において、管状部材１’が傾き、コイル３ａが巻き付けられている部分が、コイル３ｂが巻き付けられている部分よりも低い位置にあれば、重力により、永久磁石２は矢印Ｙ１５の方向に移動しようとする。しかしながら、鉄片４３ｂが設けられているため、永久磁石２は自らの磁力によって鉄片４３ｂに吸着しようとする。これにより、管状部材１’の傾き量が小である場合には永久磁石２は鉄片４３ａの位置に留まり、管状部材１’の傾き量が所定量を超えた場合に始めて矢印Ｙ１５の方向に移動し、コイル３ａが巻き付けられている部分を永久磁石２が通過する際の速度を高めることができる。
【００５９】
コイルおよび鉄片の数を増やし、図１９のように配置しても良い。すなわち、図１９のように、環形状の管状部材１’の側面の４箇所にコイル３ａ、３ｂ、３ｃ、３ｄを設け、側面の４箇所にトラップ部として作用する鉄片４３ａ、４３ｂ、４３ｃ、４３ｄを設ける。このとき、コイル３ａ、３ｂ、３ｃ、３ｄおよび鉄片４３ａ、４３ｂ、４３ｃ、４３ｄは、均等の間隔でかつ互いに異なる位置に設ける。なお、管状部材１’が所定の傾き量になるまで磁石の移動を抑止できれば、トラップ部は、管状部材１’の外側面において環の内側、環の外側のいずれに設けても良い。
【００６０】
この図１９の構成において、管状部材１’が傾き、コイル３ａが巻き付けられている部分が、コイル３ｂが巻き付けられている部分よりも低い位置にあれば、重力により、図２０のように永久磁石２は矢印Ｙ１５の方向に移動しようとする。しかしながら、鉄片４３ｂが設けられているため、永久磁石２は自らの磁力によって鉄片４３ｂに吸着しようとする。これにより、管状部材１’の傾き量が小である場合には永久磁石２は鉄片４３ａの位置に留まり、管状部材１’の傾き量が所定量を超えた場合に始めて矢印Ｙ１５の方向に移動し、コイル３ａが巻き付けられている部分を永久磁石２が通過する際の速度を高めることができる。このため、発電効率を高めることができる。
【００６１】
上記の管状部材１’を有する発電装置１５は、例えば、図２１（Ａ）のように、乗用自動車１５０内に設置することにより、車体が傾いた場合に発電する。すなわち、乗用自動車１５０の平面図である図２１（Ｂ）を参照すると、発電装置１５は、例えば、乗用自動
車１５０内に水平に設置されている。このため、発電装置１５は、車体が傾いたことを検出できる。例えば、Ｘ軸方向ＸＪまたはＹ軸方向ＹＪのいずれかの方向へ車体が傾いたことを検出できる。自動車に限らず、船舶に発電装置１５を設置した場合も同様に、船体が傾いた場合に発電し、船体が傾いたことを検出できる。
【００６２】
ところで、発電装置１５を用いても、傾き量を検出することはできない。傾き量を検出するには、傾きセンサ（図示せず）を設けておき、発電した電力によって傾きセンサを動作させると共に、センサの検出結果を取得し、外部へ出力すれば良い。外部への出力は、例えば、無線通信を利用して行えば良い。この無線通信に必要な電力は、コイルが巻き付けられている部分を永久磁石２が通過する際に発電する電力を利用すれば良い。
【００６３】
（制御部等）
図２２（Ａ）〜（Ｄ）は、上記の発電装置によって発電された電力を利用する場合の構成例を示す図である。図２２（Ａ）〜（Ｄ）において、発電部２００は、上記の管状部材１を利用した発電装置（図１〜図４）、または、上記の管状部材１’を利用した発電装置（図１７〜図１９）である。発電部２００による発電電力は、制御部２０１に入力される。発電部２００によって得られるのは、交流電流であるため、これを制御部２０１において整流することにより、直流電流を得ることができる。
【００６４】
図２２（Ａ）の構成の場合は、制御部２０１の出力を負荷２０２に与えている。
図２２（Ｂ）の構成の場合は、管状部材１または管状部材１’の傾きをホール素子２０３によって検出した場合に、制御部２０１の出力を負荷２０２に与えている。
図２２（Ｃ）の構成の場合は、発電部２００による発電電力を利用して制御部２０１から情報の送信を行う。情報はアンテナ２０４を介して図示せぬ受信装置に向けて送信される。送信する際の変調方式などについては、周知の方式を用いれば良い。
【００６５】
センサに電力を供給し、センサの出力に関する情報を送信しても良い。センサは、例えば、温度センサ、湿度センサ、気圧センサ、赤外線センサ、傾斜センサなどが考えられる。複数のセンサの検出結果をまとめて送信しても良い。
キャパシタを設けて電荷を蓄積しておき、その電荷による電力を利用してセンサの出力に関する情報を定期的に送信するようにしても良い。定期的な送信を実現するには、周知のタイマ回路を設けておき、タイマ回路の出力を送信のトリガとすれば良い。発電のタイミングを送信のトリガとする場合など、電荷を蓄積する必要が無い場合、キャパシタを設ける必要はない。
【００６６】
図２２（Ｄ）の構成の場合は、管状部材１または管状部材１’の傾きをホール素子２０３によって検出した場合に、発電部２００による発電電力を利用して制御部２０１から情報の送信を行う。情報はアンテナ２０４を介して図示せぬ受信装置に向けて送信される。例えば、図７〜図１６を参照して説明したスイッチ１００のＯＮ状態、ＯＦＦ状態を、受信装置に向けて送信することができる。
【００６７】
制御部２０１は、例えば、図２３のように構成される。図２３は、図２２（Ｄ）の構成に対応し、その構成をより具体的に示す図である。図２３において、制御部２０１は、周知のダイオードブリッジによって構成された整流回路２０１ａと、発電した電力を蓄えるためのキャパシタ２０１ｂと、キャパシタ２０１ｂに蓄えられた電力によって情報を送信する送信機２０１ｃと、を備えている。
【００６８】
このような構成において、発電部２００においては、上述したように、コイルが巻き付けられている部分を永久磁石が通過すると電磁誘導によって電流が流れる。この電流は、整流回路２０１ａのダイオードブリッジによって交流電流から直流電流に変換される。このため、キャパシタ２０１ｂの両端に直流電圧が印加され、キャパシタ２０１ｂに電荷が蓄積される。
【００６９】
キャパシタ２０１ｂに蓄積された電荷による電力が送信機２０１ｃに与えられ、ホール素子２０３が管状部材の傾きを検出した場合に、情報がアンテナ２０４を介して図示せぬ受信装置に向けて送信される。
なお、図２２（Ａ）〜図２２（Ｃ）中の制御部についても、図２３と同様に構成すれば良い。
【００７０】
（擬餌針などへの応用）
ところで、図１のような管状部材による発電装置を疑似針に内蔵し、発電した電力を用いて疑似針の一部を発光させることができる。
疑似針は、釣り竿に取り付けられた釣り糸に装着されるものである。釣り竿を揺動させると、その動きが釣り糸を介して疑似針に伝達される。この疑似針の動きを捕獲対象魚等が好む小魚などの動きに似せることにより、捕獲対象魚を誘引することができる。例えば、アオリイカを捕獲対象とする場合、餌木と呼ばれる疑似針が用いられる。
【００７１】
捕獲対象魚によっては、正の走光性を有するものがあり、夜間は集魚灯を用いることがある。夜間に、集魚灯を用いると共に、または集魚灯の代わりに、発光する疑似針を使用することによって、釣果を高める可能性がある。
図２４（Ａ）は、図１のような管状部材による発電装置を内蔵した疑似針の外観を示す図である。図２４（Ａ）において、疑似針２０６は、外形が、小魚ないし海老の形状になっており、その眼に相当する部分が発光するようになっている。また、疑似針２０６の尾部側端部には複数の針が突設された針部２０６ａが設けられると共に、頭部側端部には、テグスなどの釣り糸Ｔを係止するための釣り糸係止部２０６ｂが設けられている。
【００７２】
図２５は、本例の疑似針に内蔵される制御部などの構成例を示す図である。図２５において、制御部２０１’は、発電部２００の発電出力によって動作する。この制御部２０１’は、周知のダイオードブリッジによって構成された整流回路２０１ａと、発電した電力を蓄えるためのキャパシタ２０１ｂと、キャパシタ２０１ｂに蓄えられた電力によって動作するタイマ回路２０１ｄと、を備えている。
【００７３】
本例では、例えば周知のＬＥＤ（Light Emitting Diode）２０５を発光素子として用いる。ＬＥＤ２０５は、制御部２０１’内のタイマ回路２０１ｄの出力によって点灯する。
タイマ回路２０１ｄは、予め設定された周期ごとに、または、予め設定された時間だけ、ＬＥＤ２０５を発光させる機能を有している。
ＬＥＤ２０５による発光を拡散させるためのレンズなどを設けてもよい。
なお、発電部２００は、例えば、上述したように、コイルが巻き付けられている管状部材１を利用した発電装置（図１）である。管状部材１の内部の永久磁石には、図５を用いて説明したように、互いに異なる一対の極をＮ組（Ｎは自然数）有する球形状または円柱形状を用いればよい。
【００７４】
図２４（Ｂ）は、本例の疑似針２０６の内部構成例を示す部分断面図である。図２４（Ｂ）において、本例の疑似針２０６は、その内部に、発電部２００と、その発電出力によって動作する制御部２０１’と、その出力によって発光するＬＥＤ２０５と、を備えている。発電部２００には、上述したトラップ部を設けてもよい。トラップ部を設けた場合はコイルに与えられる磁界が急激に変化することになり、トラップ部が設けられていない場合よりも大きな発電量が得られる。
【００７５】
図２４（Ａ）に戻り、このような構成からなる疑似針２０６は、釣り竿に取り付けられた釣り糸に装着され、海などの水中などに入れられる。その状態において、釣り竿が揺動すると、その釣り竿の揺動が釣り糸を介して疑似針２０６に伝達され、疑似針２０６は矢印ＹＡの方向などに移動する。この疑似針２０６の移動により、管状部材のコイルが巻き付けられている部分を永久磁石が通過するため、その通過の際に発電がなされる。
【００７６】
つまり、釣りにおいて普通に行われる動作である、釣り竿の揺動により、その揺動が釣り糸を介して上記疑似針に伝達され、発電がなされる。疑似針２０６の内部で発電がなされるため、発光のための電源としての電池が不要である。したがって、電池を交換する必要がないため、電池交換のための開閉構造等を備える必要がない。このため、管状部材および制御部等必要な部品全体を樹脂成型によって封止でき、水中で用いる擬餌針において、内部の電気回路部分の防水性を保つことができる。
【００７７】
図２４（Ｃ）は、疑似針の他の例を示す図である。本例では、疑似針２０６の眼に相当する部分をＬＥＤ２０５によって発光させる他に、眼に相当する部分から尾部側端部へ至る側面に発光部２０５ａを複数設けている。複数の発光部２０５ａを発光させるため、これら発光部２０５ａの部分それぞれにＬＥＤを設けてもよいし、ＬＥＤ２０５からの光を導光部材によって複数の発光部２０５ａそれぞれに振り分けたり、複数の発光部２０５ａの部分に偏光路を設けたりしてもよい。
なお、本例の疑似針は、釣り竿に取り付けられた釣り糸に装着されるものに限定されるものではなく、イカ釣り機など省力装置に取り付けられた釣り糸に装着されるものであってもよい。
【００７８】
図２６は、図１のような管状部材による発電装置を釣り用の浮子に用いた場合の例を示す図である。図２６は浮子の部分断面図である。図２６において、本例の浮子２０７は、その内部に、発電部２００と、その発電出力によって動作する制御部２０１’と、その出力によって発光するＬＥＤ２０５と、を備えている。ＬＥＤ２０５の発光を拡散させるためのレンズや偏光板などを設けてもよい。発電部２００には、上述したトラップ部を設けてもよい。トラップ部を設けた場合はコイルに与えられる磁界が急激に変化することになり、トラップ部が設けられていない場合よりも大きな発電量が得られる。  このような構成からなる浮子２０７は、釣り竿に取り付けられた釣り糸に装着される。釣り糸の先端には釣り針が取り付けられている。釣り針に餌を付けた後、海面などの水面に向かって釣り竿を振り下ろすと、浮子２０７は、海面などの水面に浮かぶ。釣り竿を振り下ろす際に管状部材のコイルが巻き付けられている部分を永久磁石が通過する場合があり、その通過の際に発電がなされる。この発電により、ＬＥＤ２０５が所定時間発光し、水面上の浮子２０７を容易に確認できるようになる。
【００７９】
本例の浮子２０７を用い、特に夜間において釣り用の浮子２０７を発光させることにより、捕獲対象魚を集めることができると共に、浮子の位置を容易に確認することができる。つまり、釣りにおいて普通に行われる動作である、釣り竿を振り下ろす動作により、発電がなされる。浮子２０７の内部で発電がなされるため、発光のための電源としての電池が不要である。したがって、電池を交換する必要がないため、電池交換のための開閉構造等を備える必要がない。このため、管状部材および制御部等必要な部品全体を樹脂成型によって封止でき、水面ないし水中で用いる浮子において、内部の電気回路部分の防水性を保つことができる。
【００８０】
ところで、本例の浮子２０７において、特に夜間において通常状態ではＬＥＤ２０５を発光させず、魚が釣り針の餌に食いついた時（いわゆるアタリがあった時）に、浮子２０７の内部で発電してＬＥＤ２０５を発光させるようにしてもよい。すなわち、魚が釣り針の餌に食いつくと、釣り糸が引かれて浮子２０７内の管状部材のコイルが巻き付けられている部分を永久磁石が通過することがあり、その場合にＬＥＤ２０５が発光する。これにより、いわゆるアタリのタイミングを、ＬＥＤ２０５の発光によって検知することができ、釣り竿を引き上げるタイミングの目安にすることができる。つまり、釣りにおいて当然に期待される動作である、アタリがあった時に発電がなされる。この場合においても浮子２０７の内部で発電がなされるため、発光のための電源としての電池が不要である。したがって、電池を交換する必要がないため、電池交換のための開閉構造等を備える必要がない。このため、管状部材および制御部等必要な部品全体を樹脂成型によって封止でき、水面ないし水中で用いる浮子において、内部の電気回路部分の防水性を保つことができる。
なお、釣り用の浮子に限らず、漁網に用いる浮子に上記の発電装置を内蔵させることにより、特に夜間において網の位置を容易に確認することができる。
【００８１】
（まとめ）
以上説明したように、本例による勾配型発電装置によれば、永久磁石がコイルを通過する速度を高めることができ、効率良い発電を実現できる。また、電池交換不要でありながら発光機能を有する擬餌針や浮子を実現できる。
【００８２】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００８３】
本発明は、エネルギーハーベスティング技術により、発電を効率良く行う場合に利用できる。
【符号の説明】
【００８４】
１  管状部材
１ａ、１ｂ、１ｃ、１ｄ、１ｅ  端部
２  永久磁石
３、３ａ、３ｂ  コイル
５ａ、５ｂ  操作部
６ａ、６ｂ  孔部
７ａ、７ｂ、８ａ、８ｂ、８ｃ、９ａ、９ｂ  回動軸
１０  リンク部
１１ａ、１１ｂ  長孔
１２ａ、１２ｂ  検出部
１３  操作部
１４ａ、１４ｂ  永久磁石
１５  発電装置
４１ａ、４１ｂ  凹部
４２ａ、４２ｄ  凸部
４３ａ、４３ｂ  鉄片
１００  スイッチ
１５０  乗用自動車
２００  発電部
２０１、２０１’  制御部
２０１ａ  整流回路
２０１ｂ  キャパシタ
２０１ｃ  送信機
２０２  負荷
２０３  ホール素子
２０４  アンテナ
２０５  ＬＥＤ
２０６  疑似針
２０６ａ  針部
２０６ｂ  釣り糸係止部
２０７  浮子
【図１】
2013146172.tif 000003
【図２】
2013146172.tif 000004
【図３】
2013146172.tif 000005
【図４】
2013146172.tif 000006
【図５】
2013146172.tif 000007
【図６】
2013146172.tif 000008
【図７】
2013146172.tif 000009
【図８】
2013146172.tif 000010
【図９】
2013146172.tif 000011
【図１０】
2013146172.tif 000012
【図１１】
2013146172.tif 000013
【図１２】
2013146172.tif 000014
【図１３】
2013146172.tif 000015
【図１４】
2013146172.tif 000016
【図１５】
2013146172.tif 000017
【図１６】
2013146172.tif 000018
【図１７】
2013146172.tif 000019
【図１８】
2013146172.tif 000020
【図１９】
2013146172.tif 000021
【図２０】
2013146172.tif 000022
【図２１】
2013146172.tif 000023
【図２２】
2013146172.tif 000024
【図２３】
2013146172.tif 000025
【図２４】
2013146172.tif 000026
【図２５】
2013146172.tif 000027
【図２６】
2013146172.tif 000028